(57)【要約】      （修正有）【課題】人間の居住地域で風力発電し、長距離送電を省く。【解決手段】縦軸連結方式風力モーターは人間の居住圏で吹く風を利用して風車の機械エネルギーにし、風車をカップリングし、下方につないでいき下で発電機をまわし電気エネルギーにして利用する。人間の居住圏の風はそれほど強くないが、高い所で吹いている、かなり強い風を利用する、風車の羽根を広くする、縦軸型全方向吹き入れ、１方向吹き出し器を用いて、横に広い範囲の風を、せまい風車吹き込み口に集中させて吹き込ませる．（風のじううごである）風車の軸を太くして、支点からの距離を長くして、力のモーメントを大きくし、出力を大きくさせる、風車の心棒をカップリングして、下に下につないき、人間の居住場所近くで発電機をまわし、電気エネルギーを発生させて、変電室まで配線して、半導体ブリッジで直流にし、コンデンサーにためインバーターで商用周波数に変換して、利用する。【選択図】図２４
2011117428.tif 000002
【特許請求の範囲】
都界ではビルの屋上１０ｍ〜２０ｍ地方では、民家の庭先１０ｍ〜２０ｍの高い所の比較的強い風を利用して、機械エネルギーに変換軸にフランジをつけ、風車ごとにカップリングして、下方で発電機をまわして、電気エネルギーにし半導体で直流にして、コンデンサーにたくわえて、インバーターで商用周波数にして使用する．
【請求項１】
縦軸型風量制御フック付全方向吹き入れ１方向吹き出し器Ｉ型、風車軸に向って、右から吹き入れる風が正面の風、風車軸に向って左から吹き入れる風をｕターンさせ同一方向に吹き出させる．
１型は風車軸を越えないで吹き込むから縦４対横８になる．
【請求項２】
縦軸型風量制御フック付全方向吹き入れ１方向吹き出し器ＩＩ型風車軸に向って左から吹き入れる風が正面の風、風車軸に向って右から吹き入れる風をｕターンさせ同一方向に吹き出させる。
ＩＩ型は風車軸を越えて吹き込ませるから縦４：横１２の割合になる
【請求項３】
逆Ｌ字型羽根
吹きつけ層から、連絡層迄で太い軸に羽根をくいこませて、風をにがさないようにして、回転しているうちに下に降りて、連絡層から出て吸い取り層へ流れ、自然の風の流れを利用して、大気中に、吸引放出される。（図４）（図９）
【請求項４】
１階を東西方向に２階を南北方向に吸いとらせ、風向きの変化で回転数が変動しないようにする。（図１５）（図１６）
【請求項５】
風車ごとに風車軸にフランジをつけてカップリングし、つみかさねて風車塔にしたもの、地方の民家の庭先では、東西に吹きぬける階、と南北に吹きぬける階をカップリングしたものだけでもよい東西に吸いとる風車と南北に吸いとる風車をカップリングして、最小単位とする、
【発明の詳細な説明】
【技術分野】
【０００１】  人間の居地域で吹く風を利用して風車をまわし機械エネルギーにしその機械エネルギーを電気エネルギーに変換、半導体ブリッジで直流にして、コンデンサーにため、インバーターで商用周波数にして、利用する
【背景技術】
【０００２】  今迄の風力発電は都界、地方に限らず人間の居住範囲で吹く風はほとんど利用されていなかった、それは風車の構造上、比較的強いぐらいの風を利用出来なかった、又吹いている場所を高い所で吹いている風を利用しようというこころみがなされていなかったからにちがいない．
【先行技術文献】
【０００３】
【非特許文献】
【非特許文献】（１）同期発電機に関連するもの．（２）半導体ブリッジに関連するもの．（３）コンデンサーに関連するもの．（４）インバーターに関連するもの．
【０００４】
【特許文献】
【特許文献】（１）風量制御フック付全方向吹き入れ１方向吹き出し器Ｉ型、ＩＩ型、Ｉ型は風車軸に向って、正面の風が右側のもの、ｕターンの風が左側のもの、風車を時計まわりに回転させるためには、Ｉ型は、風車の中心線を越えないで風を風車に吹きつける、ために横の長さがみじかくなる．（図１４）  ＩＩ型は風車軸に向って、正面の風左側のもの、ｕターンの風が右側のもの、風車を時計まわりに回転させるには風車の中心線を越えて風を吹きつけるため横の長さが長くなっている．（図１４）  （２）逆Ｌ字型羽根、風を風車に、吹きつけると回転するうちに風が風車の下の出口降りてくる構造になっている（図１１）（図１２）  （３）風量制御用ドアー付き吸い取り器（図４）（図５）
【発明の概要】
【発明が解決しようとする課題】
【０００５】人間の居住地のどこで吹く風を利用するかあまり強くない風をどのようにして風車の機械エネルギーにするか、その機械エネルギーをどのようにして、商用周波数の電気エネルギーに変換するか
【課題を解決するための手段】
【０００６】風を何層かに分け、風車を回転させるように、する、
全方向吹き入れ１方向吹き出し器を使い広い範囲の風を風車カバのせまい入口に吹き入れられるようにする（風のじょうごにして風を吹き入れる）
吸い取り器の出口を９０°ずらし、即ち、１型の階ＩＩ型の階を作り、風向きの変化により、回転数が変動しないようにする．
風車の心棒を夫くして支点からの距離を長くする．
羽根の受風面積を大きくする、その結果力のモーメントが大きくなり出力の増大がはかれる、都界のビルの屋上２０ｍ〜３０ｍ、地方の、民家の上空１０ｍ〜２０ｍの比較的強い風を利用する．
羽根カバで囲まれた、羽根をＬ字型、逆Ｌ字型にして、回転しているうちに風が下の出口におりてこられる構造の羽根にする．
【課題が解決しようとする手段】
【０００７】
2011117428.tif 000003
2011117428.tif 000004
【発明の効果】
【０００８】人間の居住地域で風力発電が可能になりＣＯ２を出さないで、大電気エネルギーを取り出せるようになる
水のある場所で風の吹く所では水を何段にも吸みあげ、揚水発電に出来るので安定した電気エネルギーを昼夜、天候に関係なく作り出せる．
送電の必要がないので、大規模の送電用鉄塔がいらなくなる．
四角な塔なので景観をそこなわない、鳥を傷つけない、風量制御フック付、全方向吹き入れ１方向吹き出し器を付けることにより入口の受風面積を広くするだけでなく、全ての方角の風を有効に羽根に吹きつける人工の風にできた。
誘導層と、吹きつけ層は四本柱だけでカバーはつけない。
連絡層は周囲をかこみ、吸い取り層に吸引放出させる、吸い取り層は風の流れる両サイドだけカバーをつける。
【０００８】人間の居住圏で風力発電が可能になりＣＯ２を出さないで、電気エネルギーを取り出せるようになる、
水のある、風の吹く所では、水を何段にも吸みあげ、揚水発電に出来るので安定した電気エネルギーを昼夜、天候に関係なく、作り出せる。
送電の必要がないので、大規模な送電用鉄塔がいらなくなる．
四角な風車塔なので、景観をこわさない．
風量制御フック付全方向吹き入れ１方向吹き出し器を付けることにより、全ての方向の風を風車に吹きつけられる、人工の風を吹きつけることになる．
入口の受風面積を広くするので、入口の風を出口迄弱くならない、せまい入口から、吹き入れられるので、風のじょうごの役目をさせられる
誘導層は風車塔も全方向吹き入１方向吹き出し器も一致させて風通しをよくする。
誘導層と吹きつけ層は四本柱だけにして、カバーはつけない、押すだけで、風圧は誘導層に、にげるようになる．
誘導層、吹きつけ層、連絡層、吸い取り層、の流れでで押して、引くので回転効率がよくなる、
Ｉ型の階、ＩＩ型の階を９０°ずらして、カップリングさせた、両方の階の吸い取り器の間のじゃま板を入れてあるので、風向きの変化による回転数の変動をなくせる。
Ｉ型の階、ＩＩ型の階とも、四層に分け、各層に機能を持たせ、風車を効率よく回転させ連結させ上空の風を機械エネルギーにし下方で電気エネルギーにする。
【図面の簡単な説明】
【００８】
【図１】風車塔内にＩ型全方向吹き入れ１方向吹き出し器を風車にはさんで、設置した図、誘導層は、風車塔も、全方向吹き入れ器１方向吹き出し器も一致する。風車枠の固定部分だけ、上部に出ている、（ａ−ａ’）面
【図２】風車塔内にＩ型全方向に吹き入れ１方向吹き出し器から、風車内に、風が吹きこまれる、吹きつけ層の部分（ｂ−ｂ’）面
【図３】風車塔の風車から風車が回転して、連絡層から風が出ていく図、（ｃ−ｃ）’面は風車塔では、四方がカバーされているから風車塔からは出ていかない、で、
【図４】吸い取り層、前後に風が通過し、両側の連絡層からきた風を吸いとる。（ｄ−ｄ’）面
【図５】吸い取り層、矢印のドアーを開閉して、吸い取り量を制御する、前後に風を通過させて、両側からの風を吸いとらせる。
【図６】ＩＩ型の階、でＩ型の階の（図１）と全く同じ全方向吹き入れ１方向吹出し器ＩＩ型で風連に両側に、設置した図、（ａ−ａ’）面
【図７】ＩＩ型の階で、Ｉ型の階の（図２）と全く同じ．全方向吹き入れ１方向吹き出し器ＩＩ型で風が風車に吹き込まれる面、（ｂ−ｂ’）面
【図８】ＩＩ型の階でＩ型の階の（図３）と全く同じ、風が風車の羽根に当った後ハカマの部分から出て来た所、（ｃ−ｃ’）面．
【図９】ＩＩ型の階の吸い取り層、１型の階の吸い取り層と全く同両側の連絡層から出て来た風を吸引両側に放出する。
【図１０】１型の階の吸い取り層（図５）と全く同じ．
【図１１】Ｉ型、ＩＩ型の風車塔内の風車の羽根の立面図ｂ層のぬりしろからｄ層のぬりしろ迄、羽根がつながっている、
【図１２】（図１１）の裏側、（ｂ−ｂ’）面から（ｄ−ｄ’）面迄の羽根
【図１３】風車の両側から、全方向吹き入れ１方向吹き出し器Ｉ型を通した風を吹きつける．（ｃ−ｃ’）面〜（ｄ−ｄ’）面の連絡層から出て来た風を（ｄ−ｄ’）面〜（ｅ−ｅ’）面の吸い取り層に前後に吸引放出させる．
【図１４】風車の前後から、全方向吹き入れ１方向吹き出し器ＩＩ型を通して風車に風を吹きつける（ｃ−ｃ’）面、（ｄ−ｄ’）面の連絡層から出て来た風を（ｄ−ｄ’）面〜（ｅ−ｅ’）面の吸い取り層に左右に吸引放出させる．
【図１５】全方向吹き入れ、１方向向吹き出し器Ｉ型１階左立面図、後立面図、前立面図、右立面図、平面図
【図１６】全方向吹き入れ１方向吹き出し器ＩＩ型１階左立面図、後立面図  前立面図  右立面図  平面図
【図１７】Ｉ型２階．平面図、後左側立面図、後立面図、前立面図右横立面図  Ｉ型２階  平面図  後左側立面図、後立面図、前立面図、右横立面図
【図１８】（ｂ−ｂ’）面の風車のぬりしろと羽根（ｄ−ｄ’）面までつづく．
【図１９】（ｄ−ｄ’）面の風車のぬりしろと羽根（ｂ−ｂ’）面までつづく．
【図２０】風車カバーの助骨、（ｂ−ｂ’）面から（ｄ−ｄ’）面迄の高さ．横は．半円・上が前、下が後
【図２１】〔図２０〕の助骨にはるカバー、上、下、の長方形部分から全方向吹き入れ．１方向吹き出し器を通した風が入っていく．全方向吹き入れ１方向吹き出し器は、風のじうごに相当する．
【図２２】Ｉ型の階の誘導層、風車、全方向吹き入れＩ形Ａ．Ｉ型Ｂ、風車塔の連絡層のカバー．前後に吸い取る、吸い取り器  Ｉ型Ａ  Ｉ型Ｂ、で風車に両面から吹きつけ、連絡層をまわり、吸い取り層で前後に、吸い取らせる．
【図２３】ＩＩ型の階の誘導層、風車、全方向吹き入れＩＩ型Ａ、ＩＩ型Ｂを通した風を風車に吹き入れ、連絡層をまわり吸い取り層に左右に吸引、放出させる．
【図２４】地方の民家上空１０ｍ〜２０ｍの風を機械エネルギーにしたものを下方で発電  半導体ブリッジで直流にしインバーターで商用周波数にして使
【図２５】都界のビルの上家２０ｍ〜３０ｍの風を機械エネルギーにしたものを下方で発電、半導体ブリッジで直流にしたものを下方でインバーターで商用  周波数にして使
【符号の説明】Ｉ１Ａ：風量制御フック付き、全方向吹き入れ１方向吹き出し器、１型、風車に向って右側、
Ｉ１Ｂ：風量制御フック付き全方向吹き入れ、１方向吹き出し器  Ｉ型、風車に向って左側
ＩＩ２Ａ：風量制御フック付き、全方向吹き入れ１方向吹き出し器ＩＩ型風車に向って手前側、
ＩＩ２Ｂ：風量制御フック付き全方向吹き入れ１方向吹き出し器ＩＩ型風車に向って後側
Ｆｓ：風車
2011117428.tif 000005
【発明を実施するための形能】
【０００９】風力発電は、風のエネルギー密度が小さいといわれているため寸法が比較的大きなものになる、
又高い所から、下げてきて、大出力の発電になるので、電力会社、あるいは電気を管理する企業とのタイアップする方法がのぞましいしし、安全であると思われる、
産業上の利用の可能性、
【００１０】売電ができるようになる
【図１】
2011117428.tif 000006
【図２】
2011117428.tif 000007
【図３】
2011117428.tif 000008
【図４】
2011117428.tif 000009
【図５】
2011117428.tif 000010
【図６】
2011117428.tif 000011
【図７】
2011117428.tif 000012
【図８】
2011117428.tif 000013
【図９】
2011117428.tif 000014
【図１０】
2011117428.tif 000015
【図１１】
2011117428.tif 000016
【図１２】
2011117428.tif 000017
【図１３】
2011117428.tif 000018
【図１４】
2011117428.tif 000019
【図１５】
2011117428.tif 000020
【図１６】
2011117428.tif 000021
【図１７】
2011117428.tif 000022
【図１８】
2011117428.tif 000023
【図１９】
2011117428.tif 000024
【図２０】
2011117428.tif 000025
【図２１】
2011117428.tif 000026
【図２２】
2011117428.tif 000027
【図２３】
2011117428.tif 000028
【図２４】
2011117428.tif 000029
【図２５】
2011117428.tif 000030